(57)【要約】【課題】操作部を配置した蓋体のデザイン性を高めるとともに、同操作部への水などの侵入を防止することを目的とする。【解決手段】有底筒状の鍋収納部を有する炊飯器主体と、前記鍋収納部に着脱自在に配置した鍋と、この鍋を介して内容物を加熱する加熱手段と、前記炊飯器主体の上方を開閉自在に覆う外蓋１４とを具備し、前記外蓋１４は有色樹脂２８で成形されるとともに、前記有色樹脂２８と成形密着性のある透明樹脂２９、およびこの透明樹脂２９の表面を覆うフィルム３０で前記有色樹脂２８の表面に操作部１４を一体に成形し、さらに、前記フィルム３０は部分的に半透明とした。【選択図】図４
2009225817.tif 000002
【特許請求の範囲】
【請求項１】
有底筒状の鍋収納部を有する炊飯器主体と、前記鍋収納部に着脱自在に配置した鍋と、この鍋を介して内容物を加熱する加熱手段と、前記炊飯器主体の上方を開閉自在に覆う外蓋とを具備し、前記外蓋は有色樹脂で成形されるとともに、前記有色樹脂と成形密着性のある透明樹脂、およびこの透明樹脂の表面を覆うフィルムで前記有色樹脂の表面に操作部を一体に成形し、さらに、前記フィルムは部分的に半透明とした炊飯器。
【請求項２】
外蓋の有色樹脂を白色とした請求項１記載の炊飯器。
【請求項３】
操作部はフィルムおよび透明樹脂のみからなる表示枠を有し、前記フィルムの表示枠と対応する部位を透明として透明窓を構成した請求項１記載の炊飯器。
【発明の詳細な説明】
【技術分野】
【０００１】
本発明は、外蓋に操作部を配置した炊飯器に関するものである。
【背景技術】
【０００２】
従来、この種炊飯器にあっては、表面の透明フィルム層の下層に透明材料層を有し、さらにその下層に前記透明材料層と成形密着性のある遮光性の有色材料層を一体に形成し、部分的に前記透明フィルム層のみの部分を有する外郭部材で操作部の外郭を構成し、前記操作部は前記外郭部材の前記透明フィルム層の部分に設け、前記透明フィルム層の一部に施した加飾が前記透明材料層を透過して前記外殻部材の底面に映り立体的に表現できるべく、前記透明フィルム層に比べ前記透明材料層を厚く設定したものであった（例えば、特許文献１参照）。
【特許文献１】特開２００４−１６７１３３号公報
【発明の開示】
【発明が解決しようとする課題】
【０００３】
しかしながら、上述のような炊飯器において、操作部外周には嵌合隙間があり、外蓋の一部に特定して操作部が配してあるため、前記嵌合隙間に水や埃、油汚れなどがたまりやすく不衛生であった。
【０００４】
また、操作部内に設けた電子部品に水や油等の異物が侵入しないよう防水処理用が必要であった。
【０００５】
そして、デザイン面では透明フィルム層を通して透明感のある質感を表現できるが、透明部分より透過して見える有色材料層の色は１色に限られてしまうため、多色の透明感を表現することができかった。
【０００６】
加えて、透明感の色調を変更するには、都都度別色の有色材料で成形を行わなければならず、手間がかかるものであった。
【０００７】
本発明は上記課題を解決するもので、水や埃、油などの溜まり、侵入を防止し、しかもデザイン面においても、透明部分から見える有色材料層の色目を多色に表現可能にし、かつ有色材料を別色で成形することなく多種の色を表現可能とした炊飯器を提供することを目的とする。
【課題を解決するための手段】
【０００８】
前記目的を達成するために本発明の炊飯器は、有底筒状の鍋収納部を有する炊飯器主体と、前記鍋収納部に着脱自在に配置した鍋と、この鍋を介して内容物を加熱する加熱手段と、前記炊飯器主体の上方を開閉自在に覆う外蓋とを具備し、前記外蓋は有色樹脂で成形されるとともに、前記有色樹脂と成形密着性のある透明樹脂、およびこの透明樹脂の表面を覆うフィルムで前記有色樹脂の表面に操作部を一体に成形し、さらに、前記フィルムは部分的に半透明としたものである。
【発明の効果】
【０００９】
本発明の炊飯器は、操作部外周の嵌合隙間に水や埃、油汚れ等がたまらなくするとともに、操作部内に設けた電子部品に外部からの水や油等の侵入を防止する防水処理を不要にする。
【００１０】
また、デザイン面においても、透明部分から見える有色材料層の色目を多色に表現可能にし、かつ有色材料を別色で成形することなく多種の色を表現する炊飯器を提供できるものである。
【発明を実施するための最良の形態】
【００１１】
第１の発明は、有底筒状の鍋収納部を有する炊飯器主体と、前記鍋収納部に着脱自在に配置した鍋と、この鍋を介して内容物を加熱する加熱手段と、前記炊飯器主体の上方を開閉自在に覆う外蓋とを具備し、前記外蓋は有色樹脂で成形されるとともに、前記有色樹脂と成形密着性のある透明樹脂、およびこの透明樹脂の表面を覆うフィルムで前記有色樹脂の表面に操作部を一体に成形し、さらに、前記フィルムは部分的に半透明とした。
【００１２】
したがって、操作部は外蓋へ一体に成形され、操作部外周に嵌合隙間が存在しないところから、嵌合隙間に水や埃、油汚れ等は溜まらず、不衛生になることはない。また、嵌合隙間がないためにお手入れもしやすい。
【００１３】
そして、外蓋と操作部は密着して一体に成形されているので、操作部内部に水や埃、異物等が侵入することはできず、浸入防止のため、防水処理等も不要となる。
【００１４】
また、デザイン面においても、フィルムが半透明となっているために下層の有色樹脂の色があたかもフィルム半透明部の色であるかのごとく見える。このことは、外蓋の色と操作部の色を同じ有色樹脂を用いながらも別物であるかのような表現を可能にする。
【００１５】
さらに、半透明色の部分を複数色設ければ、様々な色を表現することも可能であり、同じ有色樹脂から多色の表現を可能にする。
【００１６】
第２の発明は、前記第１の発明において、外蓋の有色樹脂を白色として、最も多彩に色味が表現できるようにしたものである。
【００１７】
第３の発明は、前記第１の発明において、操作部はフィルムおよび透明樹脂部のみからなる表示枠を有し、前記表示枠の内側で前記フィルムを透明とした透明窓を構成した。
【００１８】
したがって、有色樹脂の色を操作部に見せることなく、透明窓と半透明部分を構成することができる。
【００１９】
以下本発明の実施の形態を説明する。なお、実施の形態によって本発明が限定されるものではない。
【００２０】
（実施の形態１）
図１〜４において、炊飯器主体１は、環状の枠体２で上方間隔部が閉じられた外装体３および内装体４からなり、前記内装体４の内部空間に鍋５が出入自在に収納されるようにしてある。
【００２１】
内装体４は筒状の上保護枠６と有底筒状の下保護枠７とを一体化して構成されている。
【００２２】
前記炊飯器主体１は、ヒンジカバー８で覆われたヒンジ９を中心に回動する蓋体１０によってその上方が開閉されるようにしてあり、閉状態を保つ尾錠１１を解放することによって、バネ１２の作用で蓋体１０が開く。勿論、蓋体１０の急激な解放を防ぐための制動手段１３が設けてある。
【００２３】
前記蓋体１０は、操作部１４を配置した外蓋１５と、アルミニウムなどの熱伝導性のよ
い材料からつくられ、鍋５の上方解放部を閉じる内蓋１６とから構成してあり、それら外、内蓋１５，１６を連通して蒸気排出路１７が形成してある。
【００２４】
内蓋１５はその上面に配置され、蓋温度センサー１８で通電制御される蓋誘導コイル１９で誘導発熱して内面での結露を防止するとともに、鍋内容物上面へ至る輻射熱を発生させて蒸気の発生を抑えるものである。
【００２５】
内蓋１５による鍋５の閉部、内、外蓋１６，１５と蒸気排出路１７の接合部、蒸気排出路１７の仕切部などには適宜パッキングが装着されている。
【００２６】
ところで、前記鍋５は磁性材からなり、その外底面中央部および外底面外周部と対応する下保護枠９には主に炊飯時に付勢される誘導コイル２０，２１が、上部外周部と対応する上保護枠８には炊飯時と保温時に付勢される誘導コイル２２がそれぞれ配置してある。
【００２７】
さらに、下保護枠９は、誘導コイル２０，２１と近接した下方にフェライト２３を備え、前記誘導コイル２０，２１で発生するとともに、下方向に至る磁力線を鍋５の方向に反射するようにしている。
【００２８】
前記鍋５の外底面中央部には温度センサー２４が当接しており、この検知結果、つまりは鍋５の温度の応じて電力供給部２５から誘導コイル２０，２１，２２２の出力がコントロールされる。
【００２９】
電力供給部２５で発生する熱は、ファンモータ２６により外気が供給されているヒートシンク２７を介して放散されるものである。
【００３０】
ところで、前記外蓋１５は、その外郭を構成する有色樹脂２８に成形密着性のある透明樹脂２９、およびその表面を覆うフィルム３０で構成され、操作部１４を一体に成形しているものである。
【００３１】
フィルム３０は透明な基材で構成され、その片面に遮光色の印刷処理部３１が施されているが、部分的には遮光色でない半透明色の印刷処理部３２が施されている。
【００３２】
半透明色の印刷処理部３２は透明樹脂２９を透過して、その下層にある有色樹脂２８を目視可能にする。しかしながら、半透明色の印刷処理部３２の色の影響にて、外部よりの視覚は、フィルム３０を透過して、あたかも有色樹脂２８が半透明色の印刷処理部３２の色と有色樹脂２８の合成色と同色であるかのごとく見える。
【００３３】
すなわち、フィルム３０の半透明色の半透明色の印刷処理部３２により操作部１４をさまざまな有色樹脂色で成形したかのごとく視認させることが可能となり、まるで有色樹脂２８とは別物が存在するかのごとく視認させることができる。
【００３４】
これにより、安価でかつ配色の自由度の高いデザインを可能にする。
【００３５】
さらには、半透明色の部分を複数色設ければ、様々な色を表現することも可能であり、同じ有色樹脂から多色の表現を可能にする。
【００３６】
ここで、有色樹脂２８の色が白色であれば、彩度、明度とも最も自由度高く半透明部の色味を表現できる。
【００３７】
前記操作部１４には透明樹脂２９とフィルム３０のみからなる表示枠３３が設けてある
。表示枠３３周囲は半透明色の印刷処理部３２が施してあり、また、同表示枠３３よりおよそ０．５〜２ｍｍ程度内側でフィルム３０を透明にし、透明窓３４を構成している。
【００３８】
表示枠３３外周は半透明色の印刷処理部３２により覆われているので、有色樹脂２８の色が外観上目視されることがない。
【００３９】
したがって、あたかも透明窓３４は半透明色の印刷処理部３２の半透明の色の部品で周囲を構成されているように見える。
【００４０】
操作部１４の内側は操作基板３５が基板カバー３６に覆われて設置されている。
【００４１】
操作基板３５上の液晶３７は炊飯器の設定状態や動作状態を表示し、透明窓３４を透過し目視可能になっている。
【００４２】
また、操作部１４は部分的にフィルム３０のみの部分からなるエンボス部３８を有している。
【００４３】
このエンボス部３８は上下に撓み、このエンボス部３８と操作基板３５上に設けたキートップ３９、およびタクトＳＷ４０で操作スイッチを構成し、炊飯器を操作可能にしている。
【００４４】
すなわち、操作部１４は外蓋１５へ一体に成形されており、その外周部４１には嵌合隙間が存在しない。
【００４５】
したがって、嵌合隙間に水や埃、油汚れ等は溜まらず、不衛生になることはなく、また、嵌合隙間がないために手入れもしやすい。
【００４６】
そして、外蓋１５と操作部１４は密着して一体に成形されているので、操作部１４の内部に水や埃、異物等が侵入することはできず、浸入防止のため防水処理等も不要となり、低コストで高品質の外蓋１５を可能にする。
【００４７】
基板カバーパッキン４２は基板カバー３６の外周部と外蓋１５との間に設けたシールで、リブ４３で挟持され、万が一、蓋体１０内に蒸気が侵入しても基板３５が結露しないようにしてある。
【００４８】
本実施の形態の炊飯器の動作を一応述べておく。
【００４９】
蓋１０を開け、炊飯を行う米とその米量に対応する水を鍋５に入れ、鍋収納部に内挿する。
【００５０】
引き続き、そして操作部１４の炊飯開始スイッチを使用者が操作すると、マイコンが炊飯開始スイッチよりの入力を受け、炊飯工程が実施される。
【００５１】
このとき液晶３７に動作状態が表示され、透明窓３４を介して使用者に炊飯器の動作状態を知らせる。
【００５２】
温度センサー２４よりの信号を受けたマイコンは浸水、炊き上げ、蒸らしの各工程に大分された炊飯工程のそれぞれにおいて鍋５の内部の水と米の状態が適正値として設定された温度に所定時間に維持されるよう電力供給部２５より通電される誘導コイル２０，２１などの通電量を出力として制御する。
【００５３】
誘導発熱方式は、各誘導コイルに通電した高周波電流から発生する高周波磁界が金属を通過する際に誘導発熱を引き起こす。
【００５４】
ここで、高周波電流を各誘導コイルへ供給する際、電気抵抗ロスおよび高周波発生時のスイッチングロスで自己発熱するが、この熱はアルミやアルミダイキャスト等でできたヒートシンク２７を介して放熱される。
【産業上の利用可能性】
【００５５】
以上のように本発明にかかる炊飯器は、操作部外周の嵌合隙間に水や埃、油汚れ等がたまらなくするとともに、操作部内に設けた電子部品に外部からの水や油等の侵入を防止する防水処理を不要にするとともに、デザイン面においても、透明部分から見える有色材料層の色目を多色に表現可能にし、かつ有色材料を別色で成形することなく多種の色を表現できるもので、水を使用する機器に広く利用可能である。
【図面の簡単な説明】
【００５６】
【図１】本発明の実施の形態１の炊飯器の断面図
【図２】同炊飯器の要部断面図
【図３】同炊飯器の上面図
【図４】同炊飯器の要部拡大断面図
【符号の説明】
【００５７】
１  炊飯器主体
５  鍋
２０，２１，２２  誘導コイル（加熱手段）
１４  操作部
１５  外蓋
２８  有色樹脂
２９  透明樹脂
３０  フィルム
３４  透明窓
【図１】
2009225817.tif 000003
【図２】
2009225817.tif 000004
【図３】
2009225817.tif 000005
【図４】
2009225817.tif 000006